(57)【要約】【課題】  回路基板を覆うカバーを有する電気機器等において、カバーの開閉動作を規制する手段をより低コスト且つ省スペースに構成する。【解決手段】  開閉自在なカバー９と、当該カバーの開動作を規制するようにカバー９を付勢する弾性プレート１９ａと、を備えたカバー開閉装置は、弾性プレート１９ａが、カバー９の内側に設けられる回路基板１７と装置本体の基体を構成する金属フレームとを電気的に接続する接地プレート１９ｂと一体的に形成され、これにより、弾性プレート１９ａをそれ単独で設ける必要がなく、低コスト化に資すことができるとともに、省スペース化を図ることができる。【選択図】図５
2005169891.tif 000002
【特許請求の範囲】
【請求項１】
開閉自在なカバーと、
当該カバーの開動作又は閉動作を規制するように前記カバーを付勢する弾性プレートと、を備えたカバー開閉装置であって、
前記弾性プレートが、前記カバーの内側に設けられる回路基板と装置本体の基体を構成するフレームとを電気的に接続する接地プレートと、導電性を有するプレート材によって一体的に形成されている、
ことを特徴とするカバー開閉装置。
【請求項２】
請求項１において、前記弾性プレート及び前記接地プレートが、前記回路基板の表面及び裏面に接する様に一体的に形成されている、
ことを特徴とするカバー開閉装置。
【請求項３】
請求項１において、前記弾性プレート及び前記接地プレートが、前記回路基板の表面及び裏面に弾性的に接することで前記回路基板を挟持する様に一体的に形成されている、
ことを特徴とするカバー開閉装置。
【請求項４】
請求項１から３のいずれか１項において、前記接地プレートの先端に折り曲げ部が形成され、当該折り曲げ部の弾性により、前記フレームに圧接していることを特徴とするカバー開閉装置。
【請求項５】
被記録媒体に記録を行う記録手段を備えた記録装置であって、請求項１から４のいずれか１項に記載された前記カバー開閉装置を備えていることを特徴とする記録装置。
【請求項６】
被噴射媒体に液体噴射を行う液体噴射手段を備えた液体噴射装置であって、請求項１から４のいずれか１項に記載された前記カバー開閉装置を備えていることを特徴とする液体噴射装置。
【発明の詳細な説明】
【技術分野】
【０００１】
本発明は、電子機器等に設けられる開閉自在なカバーと、当該カバーの開動作又は閉動作を規制するように前記カバーを付勢する弾性プレートと、を備えたカバー開閉装置およびこれを備えた記録装置、液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録材に相当する被噴射媒体に噴射して、前記液体と前記被噴射媒体に付着させる装置を含む意味で用いる。
【０００２】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００３】
電子機器等においては、例えば操作ボタン等を覆うカバーが装置本体に対して開閉自在に設けられることがある。また、電子機器の一例としての記録装置及び液体噴射装置、より具体的には、更にその一例としてのインクジェットプリンタにおいても、操作ボタン等を覆うカバーが装置本体に対して開閉自在に設けられることがあり、加えて、インクカートリッジ交換の為のカバーや、紙ジャム処理の為に装置内部を露呈させるカバー等、種々の開閉体が設けられることがある。
【０００４】
ここで、カバーを装置本体に対して回動自在に設けると、カバーの自重によってカバーが勢いよく開き、或いは閉じることになり、衝突音の発生や、或いは破損等が発生する虞がある。そこでこの様な問題を防止する装置として、カバーに対してその動作を規制するダンパーを設けた装置が既に知られている（例えば、特許文献１）。
【０００５】
【特許文献１】特開平１１−２９６０４７
【発明の開示】
【発明が解決しようとする課題】
【０００６】
ところで、上述の様にカバーに対してその動作を規制する手段を備えた装置として、図８に示す様なものがある。図８は、図示しない装置本体に開閉（回動）自在に設けられる操作部カバー９を、裏側から見た斜視図である。操作部カバー９は、装置本体に設けられた図示しない軸に、符号９ａ、９ｂで示す把持部が嵌合することで回動可能に設けられる様構成されている。また、図８において符号１７’は回路基板であり、図８ではその向こう側の面に、電源釦や設定釦等が設けられる様になっている。
【０００７】
この様な構成において、操作部カバー９がその自重により勢いよく開かないように、板バネ（弾性プレート）２１が図示しない装置本体に取り付けられるとともに、その先端が、把持部９ａに形成された爪部９ｃに差し込まれている。従って操作部カバー９が開方向に回動すると、操作部カバー９は板バネ２１のばね力を受けて、その回動動作が規制されることになる。  
また、符号１９’は回路基板１７’と、図示しない装置本体の基体を構成する金属フレームとを電気的に接続する接地プレートであり、先端に形成された折り曲げ部１９ｂ’が、その弾性を利用して前記金属フレームに圧接する様になっている。
【０００８】
しかし、以上の構成においては、板バネ２１を装置本体にそれ単独で取り付ける必要があることから、接地スペースを要するとともに、組立作業に時間を要していた。  
そこで本発明はこの様な状況に鑑みなされたものであり、その課題は、回路基板を覆うカバーを有する電子機器等において、カバーの開閉動作を規制する手段をより低コスト且つ省スペースに配設することにある。
【課題を解決するための手段】
【０００９】
上記課題を解決する為に、本発明の第１の態様は、開閉自在なカバーと、当該カバーの開動作又は閉動作を規制するように前記カバーを付勢する弾性プレートと、を備えたカバー開閉装置であって、前記弾性プレートが、前記カバーの内側に設けられる回路基板と装置本体の基体を構成するフレームとを電気的に接続する接地プレートと、導電性を有するプレート材によって一体的に形成されていることを特徴とする。
【００１０】
上記態様によれば、開閉自在なカバーと、当該カバーの開動作又は閉動作を規制するように前記カバーを付勢する弾性プレートと、を備えたカバー開閉装置において、前記弾性プレートが、前記カバーの内側に設けられる回路基板と装置本体の基体を構成するフレームとを電気的に接続する接地プレートと一体的に形成されているので、前記弾性プレートをそれ単独で設ける必要がなく、低コスト化に資すことができるとともに、省スペース化を図ることができる。
【００１１】
本発明の第２の態様は、上記第１の態様において、前記弾性プレート及び前記接地プレートが、前記回路基板の表面及び裏面に接する様に一体的に形成されていることを特徴とする。  
上記態様によれば、前記弾性プレート及び前記接地プレートが、前記回路基板の表面及び裏面に接する様に一体的に形成されていることから、前記接地プレートのみならず、前記カバーを付勢する前記弾性プレートを利用して、前記回路基板の接地手段を前記回路基板の両面に構成することができ、より一層の効率化を図ることができる。
【００１２】
本発明の第３の態様は、上記第１の態様において、前記弾性プレート及び前記接地プレートが、前記回路基板の表面及び裏面に弾性的に接することで前記回路基板を挟持する様に一体的に形成されていることを特徴とする。  
上記態様によれば、前記弾性プレート及び前記接地プレートが、前記回路基板の表面及び裏面に弾性的に接することで前記回路基板を挟持する様に一体的に形成されているので、上述した第２の態様と同様な作用効果、即ち前記接地プレートのみならず、前記カバーを付勢する前記弾性プレートを利用して、前記回路基板の接地手段を前記回路基板の両面に構成することができ、より一層の効率化を図ることができる。そして更に、前記弾性プレート及び前記接地プレートが、前記回路基板の表面及び裏面に弾性的に接することで前記回路基板を挟持する様に成されるので、前記弾性プレートと前記接地プレートをそれ単独で前記回路基板に保持させることができ、組立時の作業性が向上するといった作用効果をも得ることができる。
【００１３】
本発明の第４の態様は、上記第１から第３の態様のいずれかにおいて、前記接地プレートの先端に折り曲げ部が形成され、当該折り曲げ部の弾性により、前記フレームに圧接していることを特徴とする。  
上記態様によれば、前記接地プレートの先端に折り曲げ部が形成され、当該折り曲げ部の弾性により、前記フレームに圧接しているので、接地効果を長期に渡って確実に得ることができる。
【００１４】
本発明の第５の態様は、被記録媒体に記録を行う記録手段を備えた記録装置であって、上記第１から第４の態様のいずれかに記載された前記カバー開閉装置を備えていることを特徴とする。  
上記態様によれば、被記録媒体に記録を行う記録手段を備えた記録装置は、上記第１から第４の態様のいずれかに記載された前記カバー開閉装置を備えているので、記録装置において上述した第１から第４の態様のいずれかと同様な作用効果を得ることができる。
【００１５】
本発明の第６の態様は、被噴射媒体に液体噴射を行う液体噴射手段を備えた液体噴射装置であって、上記第１から第４の態様のいずれかに記載された前記カバー開閉装置を備えていることを特徴とする。  
上記態様によれば、被噴射媒体に液体噴射を行う液体噴射手段を備えた液体噴射装置は、上記第１から第４の態様のいずれかに記載された前記カバー開閉装置を備えているので、液体噴射装置において上述した第１から第４の態様のいずれかと同様な作用効果を得ることができる。
【発明を実施するための最良の形態】
【００１６】
以下、本発明の実施の形態について図１乃至図８を参照しながら説明する。ここで、図１は本発明に係る「記録装置」、「液体噴射装置」の一例としてのインクジェットプリンタ（以下「プリンタ」と言う）１の外観斜視図、図２は操作部１１の斜視図、図３は操作部１１の正面図、図４は操作部１１の裏側の斜視図、図５は回路基板１７及びカバー９裏側の斜視図、図６は回路基板１７の斜視図、図７は接地部材１９の斜視図である。
【００１７】
図１に示す様に、プリンタ１はボックス形の形状を成し、大凡、ビデオテープレコーダー程の大きさに成されていて、テレビラック等へ収納された状態で使用されることを想定して構成されている。外観は図示する様にボックス形のハウジング３の前面にフロントカバー５が設けられて大略構成され、フロントカバー５は、手前側に向けて開いた状態（使用状態：図示せず）と図示する様に閉じた状態（非使用状態）とを回動自在に設けられ、開いた状態では、記録が行われた記録用紙の排出や、ＣＤ−Ｒ等の光ディスクをセット可能なディスクトレイ（図示せず）の出し入れ動作が可能となる。
【００１８】
フロントカバー５の右側には、電源釦や印刷設定釦等（詳細は図３参照）を備えて構成された操作部１１が設けられている。操作部１１は開閉自在な操作部カバー９を備え、上記電源釦や印刷設定釦等、及び、後述するインク残量個別表示部は、通常は当該操作部カバー９によって覆われている。そして、必要時には操作部カバー９を開けることで、各種印刷設定操作やメンテナンス操作等が実行可能となる。
【００１９】
フロントカバー５の左側には、半導体メモリ等の記憶媒体を装着可能なスロット（図示せず）が設けられるとともに、当該スロットを覆う開閉自在なスロットカバー７が設けられている。また、その下には、プリンタ１をホストコンピュータ等に接続する為の外部インタフェース１３も設けられている。
【００２０】
フロントカバー５の下部には給紙カセット１５が着脱自在に設けられ、手前側に引き出して取り外すことにより、記録紙をセットすることができる。フロントカバー５の上方にはインクカートリッジユニット１６が設けられ、ハウジング３とともにプリンタ１の上面を形成する。
【００２１】
インクカートリッジユニット１６には、複数色の各色毎に個別に独立して構成された、複数のインクカートリッジ（図示せず）がプリンタ１の幅方向に並列して着脱自在に設けられている。ここで、本実施形態におけるプリンタ１は記録ヘッド（図示せず）を備えるとともに主走査方向に往復駆動されるキャリッジ（図示せず）に、インクカートリッジは搭載しておらず、上述した様にインクカートリッジユニット１６に装着された複数のインクカートリッジから、図示を省略するインクチューブを介して前記記録ヘッドへとインクを供給する様に構成されている。
【００２２】
このインクカートリッジの残量表示は、操作部１１において操作部カバー９の外側と内側に表示される。即ち、図２及び図３において、操作部１１に設けられた操作部カバー９が閉じられている場合（通常時）は、メイン表示部１７のみが外部に露呈し、その他の操作釦等は操作部カバー９によって覆われた状態となる。そして、何らかの操作を行う場合には、図２に示すように操作部カバー９を開けることで操作釦群２１やサブ表示部１９が露呈し、各種操作が行える様になっている。
【００２３】
より詳しくは、メイン表示部１７は３つのＬＥＤランプ、具体的にはエラー表示ランプ２３ａ、用紙なしランプ２３ｂ、全体インク残量警告ランプ２３ｃ、を備えて構成されている。エラー表示ランプ２３ａはプリンタ１に紙ジャム等が発生した場合や、その他のハードウェアエラー発生時に点灯し、用紙なしランプ２３ｂは、給紙カセット１５が空となった場合に点灯する。そして、全体インク残量警告ランプ２３ｃは、複数のインクカートリッジの残量状態を一括して表示する全体表示部であり、複数のインクカートリッジのうち少なくとも１つのインク残量が所定値より少なくなると、橙色点滅表示或いは赤色点灯表示するよう構成されている（通常時は緑色点灯表示）。
【００２４】
サブ表示部１９は、５つのＬＥＤランプ、即ち個別インク残量警告ランプ２５ａ〜２５ｆを備えて構成されている。個別インク残量警告ランプ（以下「個別ランプ」と言う）２５ａ〜２５ｆは、複数のインクカートリッジ（本実施形態では、６個）のそれぞれの残量状態を個別に表示する「個別表示部」である。以上の様に構成されたインク残量表示手段において、複数のインクカートリッジの全てが、充分な（ある一定量以上の）インク残量がある場合（即ち通常時）には、全体インク残量警告ランプ２３ｃは、緑色が点灯する。そして、この状態から例えばいずれか１つのインクカートリッジの残量が所定の値を下回る（インク残量がゼロではないが、少なくなる）と、これをユーザに警告する為に、全体インク残量警告ランプ２３ｃは橙色の点滅表示となる。そして、更にインク残量が減り、ゼロ（或いは、全くのゼロではないが、正常な印刷を実行不可能と判断できる程度に残量が少ない）となった場合には、全体インク残量警告ランプ２３ｃは赤色の点灯表示となる。
【００２５】
このとき、個々のインクカートリッジがどの様な状態であるかは、操作部カバー９を開けることで確認できる。即ち、インク残量が少なくなった場合には、対応する個別ランプが赤色の点滅表示となり、ゼロとなった場合には、赤色の点灯表示となる。以上により、全体インク残量警告ランプ２３ｃによって複数のインクカートリッジが全体的にどの様な状態にあるかが包括表示され、そして操作部カバー９を開けることでいずれのインクカートリッジを交換、或いは交換の準備をしなければならないかが一見して判別でき、ユーザフレンドリとなっているとともに、外観が煩雑とならず、美観が確保されている。
【００２６】
次に、操作釦群２１は、図示する様にメニュー釦、上下左右方向のカーソル移動釦、項目選択（ＯＫ）釦、印刷開始釦、印刷中止釦、ＣＤ／ＤＶＤ釦（押下することにより、ディスクトレイ（図示せず）がプリンタ１前方に自動的に引き出され、或いは、装置内部に自動的に収納される）、クリーニング釦、給／排紙釦、を備えて構成され、プリンタ１が接続される表示装置（例えば、テレビ）に表示されるユーザインタフェースを介して、種々の設定や実行を行う為の操作釦によって構成されている。
【００２７】
続いて、操作部カバー９をプリンタ１に開閉自在に取り付けるカバー開閉装置について詳説する。図２において、操作部カバー９は、操作部１１の基体を構成するパネル４に形成された図示しない軸に、把持部９ａ、９ｂが嵌合することで開閉（回動）自在に取り付けられる。操作部１１の裏側には図４に示す様に上述した操作釦群２１と連係するスイッチ類が配設された回路基板１７が、装置本体側に設けられている。
【００２８】
回路基板１７には「弾性プレート」及び「接地プレート」が、弾性を有し且つ導電性を有する金属プレート材によって一体的に形成された接地部材１９が設けられている。図中、符号１９ｂが接地プレートに相当する部分であり、その先端には、山形に折り曲げられた折り曲げ部１９ｆが形成されている。そして、図示しないプリンタ１の基体を構成する金属フレームに、折り曲げ部１９ｆが弾性的に接触することで、接地が長期に渡って確実に確保される様になっている。
【００２９】
次に、図中符号１９ａが弾性プレートに相当する部分であり、その先端が、カバー１９の把持部１９ａに形成された爪部９ｃと係合する様に構成されている。従ってこれにより、操作部カバー９が閉状態から開く方向に回動すると、弾性プレート１９ａから付勢力を受け、その回動動作が規制される。即ち、自重による開動作が規制され、操作部カバー９が勢いよく回動しない様に構成されている。
【００３０】
接地部材１９は、図６及び図７に示す様に回路基板１７の表面及び裏面に、接地プレート１９ｂの基端となる部分（符号１９ｄで示す部分）及び弾性プレート１９ａの基端となる部分（符号１９ｅで示す部分）が接する様に形成され、更に、それぞれが回路基板１７に両面から弾性的に接する様に形成されている。これにより、接地プレート１９ｂのみならず、操作部カバー９を付勢する弾性プレート１９ａを利用して、回路基板１７の接地手段を構成することができ、即ち回路基板１７の両面で接地を確保することが可能となり、より一層の効率化を図ることができる。また、弾性プレート１９ａ及び接地プレート１９ｂのそれぞれが回路基板１７に弾性的に接する様に、換言すれば、回路基板１７を挟持する様に接地部材１９が形成されていることから、接地部材１９をそれ単独で回路基板１７に保持することができ、組立時の作業性が向上する。
【００３１】
そして、弾性プレート１９ａは、接地プレート１９ｂと一体的に形成されることから、弾性プレート１９ａをそれ単独で設ける必要がなく、低コスト化に資すことができるとともに、省スペース化を図ることができる。
【産業上の利用可能性】
【００３２】
本発明は、開閉自在なカバーを有する電子機器に利用可能であり、特に、ＦＡＸ、プリンタ等に代表される記録装置や、液体噴射装置、即ち液体を噴射するヘッドから被噴射媒体に液体を噴射して前記液体を前記被噴射媒体に付着させる装置に利用可能である。
【図面の簡単な説明】
【００３３】
【図１】本発明に係るプリンタの外観斜視図である。
【図２】操作部の斜視図である。
【図３】操作部の正面図である。
【図４】操作部裏側の斜視図である。
【図５】回路基板及びカバー裏側の斜視図である。
【図６】回路基板の斜視図である。
【図７】接地部材の斜視図である。
【図８】カバー裏側の斜視図である。
【符号の説明】
【００３４】
１  インクジェットプリンタ、３  ハウジング、５  フロントカバー、７  スロットカバー、９  操作部カバー、１１  操作部、１３  外部インタフェース、１５  給紙カセット、１６  インクカートリッジユニット、１７  回路基板、１９  接地部材、１９ａ  弾性プレート、１９ｂ  接地プレート、１９ｄ、１９ｅ  基端部、１９ｆ  折り曲げ部
【図１】
2005169891.tif 000003
【図２】
2005169891.tif 000004
【図３】
2005169891.tif 000005
【図４】
2005169891.tif 000006
【図５】
2005169891.tif 000007
【図６】
2005169891.tif 000008
【図７】
2005169891.tif 000009
【図８】
2005169891.tif 000010